(57)【特許請求の範囲】
【請求項１】
ダウンリンク（ＤＬ）チャネルを介して基地局によって送信される信号の電力を制御する方法であって、
前記方法は、
前記基地局が第１のＴＰＣステップサイズ値および第２のＴＰＣステップサイズ値を規定することを可能にさせるＴＰＣステップサイズ値の情報を含む、少なくとも一つのＴＰＣステップサイズ値通知信号を受信するステップと、
アップリンク（ＵＬ）チャネルの不連続送信（ＤＴＸ）が用いられるか否かを判定するステップと、
前記判定するステップの後で、ＤＬ  ＴＰＣコマンドを前記ＵＬチャネルを介して受信するステップと、
前記判定するステップが前記ＵＬチャネルのＤＴＸが用いられることを指し示すならば、前記第１のステップサイズ値ずつ電力を増加または減少させることによって、あるいは、前記判定するステップが前記ＵＬチャネルのＤＴＸが用いられないことを指し示すならば、前記第２のステップサイズ値ずつ電力を増加または減少させることによって、前記ＤＬ  ＴＰＣコマンドに応答して前記ＤＬチャネルを介して送信される信号の電力を調整するステップと
を含むことを特徴とする方法。
【請求項２】
前記ＵＬチャネルはトランスポートチャネルであることを特徴とする請求項１に記載の方法。
【請求項３】
前記ＤＬチャネルはトランスポートチャネルであることを特徴とする請求項１に記載の方法。
【請求項４】
前記ＵＬチャネルおよび前記ＤＬチャネルは、ＣＣＴｒＣＨ（coded composite transport channel）であることを特徴とする請求項１に記載の方法。
【請求項５】
前記ＴＰＣステップサイズ値通知信号は、専用制御チャネル（ＤＣＣＨ）で受信されることを特徴とする請求項１に記載の方法。
【請求項６】
前記ＵＬチャネルが所定の予め定められたタイムフレームで受信されないならば、前記ＵＬチャネルのＤＴＸが用いられることを判定することを特徴とする請求項１に記載の方法。
【請求項７】
前記ＵＬチャネルが連続する予め定められたタイムフレームで受信されるならば、前記ＵＬチャネルのＤＴＸが用いられないことを判定することを特徴とする請求項１に記載の方法。
【請求項８】
前記ＴＰＣステップサイズ値通知信号は、無線ネットワーク制御装置（ＲＮＣ）から受信されることを特徴とする請求項１に記載の方法。
【請求項９】
請求項１に記載の方法を実行するように構成された基地局。
【請求項１０】
前記基地局によって実行されることを特徴とする請求項１に記載の方法。
【発明の詳細な説明】
【技術分野】
【０００１】
本発明は、アップリンク（ＵＬ）およびダウンリンク（ＤＬ）の符号化複合トランスポートチャネル（CCTrCH：coded composite transport channel）を介して相互に通信を行う少なくとも１つの基地局と、少なくとも１つの無線送受信ユニット（WTRU：wireless transmit/receive unit）とを含む無線通信システムに関する。本発明は、より詳細には、送信電力制御（TPC：transmit power control）コマンドがそこから送られるフィードバックリンク上で不連続送信（DTX：discontinuous transmission）が利用されているかどうかに基づいて、ＤＬおよびＵＬのＣＣＴｒＣＨの送信電力をそれぞれ異なる形で更新することに関する。
【背景技術】
【０００２】
閉ループ電力制御は、ＵＴＲＡ（universal terrestrial radio access：ユニバーサル地上無線接続）−ＦＤＤ（frequency division duplex：周波数分割多重）、ＵＴＲＡ−ＴＤＤ（time division duplex：時分割多重）３．８４／１．２８Ｍｃｐｓ、ｃｄｍａ（code division multiple access：符号分割多元接続）Ｏｎｅなどの無線通信システムで広く使用される技法である。ＷＴＲＵまたは基地局の送信電力が、基地局またはＷＴＲＵ内の受信機から他方のリンクに送られるフィードバック情報に従って周期的に調整される。
【０００３】
例えば、特定のＷＴＲＵについて基地局から送信される電力を制御する、ＤＬにおける閉ループ電力制御について考えてみる。ＷＴＲＵは、ある期間（例えば、あるタイムスロットまたはタイムフレーム）中に基地局から信号を受信し、信号対雑音干渉比（signal-to-noise-plus-interference ratio）など特定の品質判定基準を使用して、その基地局の送信電力を上方または下方調整する必要があるか否かを判定する。ＷＴＲＵは、そこから基地局（ＵＬ）への次の送信時に、後続のＤＬ送信におけるそれ自体の送信電力を調整するための、基地局の関連情報を含むＴＰＣコマンドを、他のＵＬデータと共に送る。
【０００４】
多くのシステムでは、このＴＰＣコマンドは、電力を所定の量またはステップサイズだけ減少させるべきか、それとも増加させるべきかを指示する情報ビットを、１つしか含んでいない。１つのＴＰＣコマンドにつき２つ以上の情報ビットを使用する（複数のステップサイズを許可する）ことによって、あるいはＴＰＣコマンドの頻度を高めることによって、電力調整の精度を改善することができる。これを行う際の欠点は、この追加のＴＰＣ情報用の場所を空けるために、送信するＵＬデータの量を減らす必要があることである。したがって、一方の電力制御の精度と、他方のデータ転送速度との間には、ある妥協点が存在する。
【０００５】
ＵＴＲＡ−ＴＤＤ（３．８４Ｍｃｐｓおよび１．２８Ｍｃｐｓ）では、専用物理チャネル（DPCH：dedicated physical channel）、およびＤＬ共用物理チャネル（PDSCH：physical DL shared channel）のためのＤＬ電力制御は閉ループであり、上記の数段で説明した方式で働く。さらに、ＵＴＲＡ−ＴＤＤ（１．２８Ｍｃｐｓオプションのみ）では、ＤＰＣＨ、およびＵＬ共用物理チャネル（PUSCH：physical uplink shared channel）のためのＵＬ電力制御も閉ループである。
【０００６】
閉ループ電力制御に関しては、以下の標準パラメータが、ＵＴＲＡ−ＴＤＤに適用される。各ＴＰＣコマンド（上りまたは下り）は、１つの情報ビットからなる。ＴＰＣステップサイズ（上りまたは下り）は、１ｄＢ、２ｄＢ、あるいは３ｄＢとすることができ、無線リンクの設定によって決まる。ＤＬ電力制御のために、ＤＬチャネルが、１つまたは複数のＴＰＣコマンドを供給する少なくとも１つのＵＬチャネルと関連付けられる。このＤＬチャネルは、いくつかのトランスポートチャネル（ＴｒＣＨ）が多重化されたチャネルでよく、各ＴｒＣＨは、異なる通信サービスを搬送することができる。この多重化チャネルを、ＣＣＴｒＣＨと呼ぶ。
【０００７】
通常、各ＤＬ  ＣＣＴｒＣＨにそれぞれ単一のＵＬ  ＣＣＴｒＣＨがマッピングされ、１０ミリ秒のフレーム毎に（３．８４Ｍｃｐｓオプション用）、あるいは５ミリ秒のサブフレーム毎に（１．２８Ｍｃｐｓオプション用）１つのＴＰＣコマンドが存在する。一方、ＵＬ電力制御（１．２８Ｍｃｐｓオプションのみ）のために、ＵＬ  ＣＣＴｒＣＨが、ＴＰＣコマンドを供給するＤＬ  ＣＣＴｒＣＨと関連付けられる。通常、５ミリ秒のサブフレーム毎に１つのＴＰＣコマンドが存在する。ＵＬ  ＣＣＴｒＣＨが２つ以上のタイムスロットを占有する場合（サブフレーム毎の１タイムスロットにつき１つのＴＣＰコマンド）、２つ以上のＴＰＣコマンドが存在してもよい。
【０００８】
電力制御を受けるＣＣＴｒＣＨ（ＤＬ  ＣＣＴｒＣＨは、ＤＬ電力制御の対象であり、ＵＬ  ＣＣＴｒＣＨは、ＵＬ電力制御の対象）を、電力制御対象ＣＣＴｒＣＨと呼ぶ。フィードバックＣＣＴｒＣＨは、電力制御対象ＣＣＴｒＣＨと関連付けられ、それにＴＰＣコマンドを供給するＣＣＴｒＣＨである（ＵＬ  ＣＣＴｒＣＨは、ＤＬ電力制御の対象であり、ＤＬ  ＣＣＴｒＣＨは、ＵＬ電力制御の対象である）。電力制御対象ＣＣＴｒＣＨを送信する基地局またはＷＴＲＵはまた、このフィードバックＣＣＴｒＣＨを受信し、電力制御対象ＣＣＴｒＣＨを受信する基地局またはＷＴＲＵはまた、このフィードバックＣＣＴｒＣＨを送信する。
【０００９】
ＵＴＲＡ−ＴＤＤシステム（１．２８Ｍｃｐｓおよび３．８４Ｍｃｐｓ）では、そのＣＣＴｒＣＨに送信すべきデータが存在しないときは、ＣＣＴｒＣＨに基づき、ＤＴＸが利用される。ＣＣＴｒＣＨは、ユーザの送信の一部または全部をサポートする。ユーザは、所与のタイムスロット内で１つまたは複数のＣＣＴｒＣＨを使用することができる。あるＣＣＴｒＣＨについてＤＴＸが活動状態にされた場合、最初の物理チャネル、およびあらゆる（ＵＬ用の）特別なバースト生成期間（SBGP：special burst generation period）フレームまたは（ＤＬ用の）特別なバーストスケジューリングパラメータ（SBSP：special burst cheduling parameter）フレームを除けば、そのＣＣＴｒＣＨをサポートするどの物理チャネル上でも送信は行われない。ＳＢＧＰまたはＳＢＳＰは、無線リンクの設定において構成される。ＤＴＸを使用すると、システム内で発生する干渉が少なくなり、ハンドセットのバッテリ寿命をＵＬにおいて節約することができるので、システムおよびユーザパフォーマンスの大きな利益が得られる。
【００１０】
ＵＴＲＡ−ＴＤＤ（３．８４Ｍｃｐｓおよび１．２８Ｍｃｐｓ）では、ＤＴＸをＵＬ  ＣＣＴｒＣＨ上で使用する場合、ある問題が発生する。このＵＬ  ＣＣＴｒＣＨは、ＤＬの電力制御対象ＣＣＴｒＣＨのためのフィードバック（すなわち、ＴＰＣコマンドを供給するＣＣＴｒＣＨ）である。このＵＬ  ＣＣＴｒＣＨがＤＴＸのとき、ＴＰＣコマンドは、特別なバーストが送信されたときに、すなわちＳＢＧＰフレーム毎にしか送信されない。したがって、送信電力の更新頻度が大幅に減少し、その結果、電力制御対象ＣＣＴｒＣＨのパフォーマンスが悪くなることもある。ＵＴＲＡ−ＴＤＤ（１．２８Ｍｃｐｓオプションのみ）では、ＤＴＸをＤＬ  ＣＣＴｒＣＨ上で使用し、そのＤＬ  ＣＣＴｒＣＨがＵＬ  ＣＣＴｒＣＨのためのフィードバックＣＣＴｒＣＨである場合、同じ問題が発生することになる。この場合、ＵＬのパフォーマンスが悪影響を受けることになる。しかし、（ＵＬの）フィードバックＣＣＴｒＣＨがＤＴＸであっても、ＴＰＣサイズを増加させれば、このパフォーマンスの悪化を緩和することができる。
【００１１】
従来の無線通信システムでは、ＴＰＣコマンドがフィードバックＣＣＴｒＣＨに到達する頻度に関わらず、単一のＴＰＣステップサイズが使用される。フィードバックＣＣＴｒＣＨ上でＤＴＸが使用される場合、ＴＰＣコマンドが、（ＳＢＧＰまたはＳＢＳＰの値に応じて）通常の送信の場合の１／２から１／２５６の頻度で到着することもある。したがって、フィードバックＣＣＴｒＣＨにおいてＤＴＸが生じ得る場合、システム設計者または運営者には、無線リンクの構成に関する４つの異なる選択肢がある。
【００１２】
第１の選択肢は、フィードバックＣＣＴｒＣＨ上で通常の送信用に最適化されたＴＰＣステップサイズを使用し、フィードバックＣＣＴｒＣＨ上でのＤＴＸ送信中、電力制御対象ＣＣＴｒＣＨにおいてパフォーマンス不足を経験することである。これは、フィードバックＣＣＴｒＣＨでＤＴＸがしばしば生じる場合は、許容可能な選択肢ではない。
【００１３】
第２の選択肢は、フィードバックＣＣＴｒＣＨ上でＤＴＸ送信用に最適化されたＴＰＣステップサイズを使用し、フィードバックＣＣＴｒＣＨ上での通常の送信中、電力制御対象ＣＣＴｒＣＨにおいて次善のパフォーマンスを経験することである。次善のパフォーマンスは、ＴＰＣコマンドが頻繁に到着する場合、フィードバックＣＣＴｒＣＨ上での通常の送信中に、必要以上に大きなＴＰＣステップサイズを使用することに起因する。
【００１４】
第３の選択肢は、電力制御対象ＣＣＴｒＣＨのパフォーマンスへの影響を最小限に抑えるために、特別なバーストの周期性（periodicity）（ＳＢＧＰまたはＳＢＳＰ）を最小可能値まで減少させることである。その結果、フィードバックＣＣＴｒＣＨでのＤＴＸの使用に由来する容量またはバッテリ消費の利益がすべて、帳消しにされてしまうことになる。
【００１５】
第４の選択肢は、ＴＰＣコマンド内で２つ以上の情報ビットを使用し、それによりフィードバックＣＣＴｒＣＨを送信するノードが、ＤＴＸを使用する際により大きなステップサイズの信号を送ることができるようにすることである。しかしこれには、先に説明したように、フィードバックＣＣＴｒＣＨの容量が減少するという欠点がある。
【発明の開示】
【発明が解決しようとする課題】
【００１６】
上記選択肢はいずれも、満足のいくものではなく、システムパフォーマンスの損失をもたらすはずである。通常の場合もＤＴＸの場合も、フィードバックＣＣＴｒＣＨには、拡張されたパフォーマンスが必要である。
【課題を解決するための手段】
【００１７】
本発明は、ＤＬおよび／またはＵＬのＣＣＴｒＣＨから送信される信号の電力を制御するための無線通信方法および装置に関するものである。この装置は、無線通信システム、基地局、ＷＴＲＵ、あるいは集積回路（ＩＣ）でもよい。
【００１８】
基地局は、少なくとも１つのＤＬ  ＣＣＴｒＣＨを介して信号をＷＴＲＵに送信し、かつ／またはＷＴＲＵは、少なくとも１つのＵＬ  ＣＣＴｒＣＨを介して信号を基地局に送信する。基地局は、ＤＬ  ＣＣＴｒＣＨの電力を制御するＵＬ  ＣＣＴｒＣＨにおけるＤＴＸが利用されているかどうかを判定し、かつ／またはＷＴＲＵは、ＵＬ  ＣＣＴｒＣＨの電力を制御するＤＬ  ＣＣＴｒＣＨにおけるＤＴＸが利用されているかどうかを判定する。ＤＴＸが利用されている場合、ＣＣＴｒＣＨの電力は、第１のステップサイズだけ増大または減少される。ＤＴＸが利用されていない場合は、ＣＣＴｒＣＨの電力は、第２のステップサイズだけ増大または減少される。
【００１９】
本発明を実装するために使用される無線通信システムは、無線ネットワーク制御装置（ＲＮＣ）と、少なくとも１つの基地局と、少なくとも１つのＷＴＲＵとを含む。ＲＮＣは、ＤＬ  ＣＣＴｒＣＨを介して送信される信号の電力を制御するための、ＤＬのＴＰＣステップサイズ通知信号を基地局に送信することができ、かつ／またはＵＬ  ＣＣＴｒＣＨを介して送信される信号の電力を制御するための、ＵＬのＴＰＣステップサイズ通知信号を（基地局を介して）ＷＴＲＵに送信することができる。
【００２０】
このシステムの基地局は、ＤＬ  ＣＣＴｒＣＨの電力を制御するＵＬ  ＣＣＴｒＣＨにおけるＤＴＸが利用されているかどうかを判定する手段と、ＤＬ  ＣＣＴｒＣＨ用のＴＰＣコマンドを含むＵＬ  ＣＣＴｒＣＨを受信する手段と、ＴＰＣコマンドに基づいて、電力をＤＬのＴＰＣステップサイズ通知信号が示すステップサイズ値だけ増大または減少することによって、ＤＬ  ＣＣＴｒＣＨの電力を更新する手段とを含むことができる。ステップサイズ値は、上記の判定手段でＤＴＸが利用されていると判定されるかどうかに依存する。
【００２１】
ＵＬ  ＣＣＴｒＣＨは、所定の複数のタイムフレームのそれぞれの間に、基地局によって受信されることもある。与えられた所定のタイムフレーム中にＵＬ  ＣＣＴｒＣＨが受信されない場合は、基地局は、ＤＬ  ＣＣＴｒＣＨの電力を制御するＵＬ  ＣＣＴｒＣＨにＤＴＸが利用されていると判定することができる。連続する２つの所定のタイムフレームでＵＬ  ＣＣＴｒＣＨが受信され、そのＵＬ  ＣＣＴｒＣＨにＤＴＸが利用されていた場合は、基地局は、ＤＬ  ＣＣＴｒＣＨの電力を制御するＵＬ  ＣＣＴｒＣＨにＤＴＸが利用されていないと判定することができる。与えられる所定のタイムフレームの長さは１０ミリ秒でよい。この無線通信システムは、ＵＴＲＡ−ＴＤＤシステムでよい。
【００２２】
ＤＬのＴＰＣステップサイズ通知信号を、無線リンクの設定要求メッセージ、無線リンクの追加要求メッセージ、あるいは無線リンクの再構成準備メッセージの内部に、１つの情報要素として埋め込むこともできる。
【００２３】
ＵＬ  ＣＣＴｒＣＨはまた、所定の複数のタイムサブフレームのそれぞれの間に受信されることもある。与えられた所定のタイムサブフレーム中にＵＬ  ＣＣＴｒＣＨが受信されない場合は、基地局は、ＤＬ  ＣＣＴｒＣＨの電力を制御するＵＬ  ＣＣＴｒＣＨにＤＴＸが利用されていると判定することができる。与えられる所定のタイムサブフレームの長さは５ミリ秒でよい。
【００２４】
このシステムのＷＴＲＵは、ＵＬ  ＣＣＴｒＣＨの電力を制御するＤＬ  ＣＣＴｒＣＨにおけるＤＴＸが利用されているかどうかを判定する手段と、ＵＬ  ＣＣＴｒＣＨ用のＴＰＣコマンドを含むＤＬ  ＣＣＴｒＣＨを受信する手段と、ＴＰＣコマンドに基づいて、電力をＵＬのＴＰＣステップサイズ通知信号が示すステップサイズ値だけ増大または減少することによって、ＵＬ  ＣＣＴｒＣＨの電力を更新する手段とを含むことができる。ステップサイズ値は、上記の判定手段でＤＴＸが利用されていると判定されるかどうかに依存する。
【００２５】
ＤＬ  ＣＣＴｒＣＨは、所定の複数のタイムフレームのそれぞれの間に受信されることもある。与えられた所定のタイムフレーム中にＤＬ  ＣＣＴｒＣＨが受信されない場合は、ＷＴＲＵは、ＵＬ  ＣＣＴｒＣＨの電力を制御するＤＬ  ＣＣＴｒＣＨにＤＴＸが利用されていると判定することができる。連続する２つの所定のタイムフレームでＤＬ  ＣＣＴｒＣＨが受信され、そのＤＬ  ＣＣＴｒＣＨにＤＴＸが利用されていた場合は、ＷＴＲＵは、ＵＬ  ＣＣＴｒＣＨの電力を制御するＤＬ  ＣＣＴｒＣＨにＤＴＸが利用されていないと判定することができる。
【００２６】
ＤＬ  ＣＣＴｒＣＨはまた、所定の複数のタイムサブフレームのそれぞれの間に受信されることもある。与えられた所定のタイムサブフレーム中にＤＬ  ＣＣＴｒＣＨが受信されない場合は、ＷＴＲＵは、ＵＬ  ＣＣＴｒＣＨの電力を制御するＤＬ  ＣＣＴｒＣＨにＤＴＸが利用されていると判定することができる。与えられる所定のタイムサブフレームの長さは５ミリ秒でよい。
【００２７】
ＵＬのＴＰＣステップサイズ通知信号を、一群のＵＬ専用物理チャネル（ＤＰＣＨ）電力制御情報信号内に、１つの情報要素として埋め込むこともできる。
【発明を実施するための最良の形態】
【００２８】
以下では、「ＷＴＲＵ」という用語は、それだけに限らないが、ユーザ装置（UE：user equipment）、移動局、固定式または携帯型の加入者ユニット、ページャ、あるいは無線環境で動作可能な他の任意のタイプの装置を含む。
【００２９】
「基地局」という用語は、以下で言及する場合、それだけに限らないが、ノードＢ、サイト制御装置、アクセスポイント、あるいは無線環境における他の任意のタイプのインターフェイス装置を含む。
【００３０】
本発明はさらに、一般には、ＴＤＤ、ＦＤＤ、およびＵＭＴＳ（universal mobile telecommunications system：ユニバーサル移動電話システム）に適用されているＴＤ−ＳＣＤＭＡ（time division synchronous  ＣＤＭＡ：時分割同期ＣＤＭＡ）、ならびにｃｄｍａ２０００およびＣＤＭＡに適用可能であり得るが、他の無線システムにも適用可能なことが予想される。
【００３１】
本発明の諸特徴は、ＩＣ内に組み込むことができ、また複数の相互接続コンポーネントを備える回路として構成することもできる。
【００３２】
図１には、ＲＮＣ１０５、基地局１１０、およびＷＴＲＵ１１５を含む無線通信システム１００を示してある。基地局１１０は、少なくとも１つのＤＬ  ＣＣＴｒＣＨ１１２を介して信号をＷＴＲＵ１１５に送信し、ＷＴＲＵ１１５は、少なくとも１つのＵＬ  ＣＣＴｒＣＨ１１４を介して信号を基地局１１０に送信する。ＲＮＣ１０５は、ＤＬのＴＰＣステップサイズ通知信号１２０を基地局１１０に、かつ／または例えば無線リソース制御装置（ＲＲＣ）信号を使用して、基地局１１０を介してＵＬのＴＰＣステップサイズ通知信号１３０をＷＴＲＵ１１５に送信する。
【００３３】
本発明により、ＵＬとＤＬの両方の電力制御を強化することができる。本発明をＵＴＲＡ−ＴＤＤのコンテキストで説明してきたが、本発明は電力制御コマンドの送信方向にＤＴＸを利用するどの通信システムにも適用可能である。ＤＬ電力制御に関して、ＵＴＲＡ−ＴＤＤ（３．８４Ｍｃｐｓおよび１．２８Ｍｃｐｓ）のコンテキストでは、ＵＬがＤＴＸの場合に使用されるＴＰＣステップサイズの通知を、ＲＮＣ１０５から基地局１１０への無線リンク構成情報を含むメッセージを修正することによって実装することができる。
【００３４】
図２、図３、図４に示すように、ＤＬのＴＰＣ通常ステップサイズ通知信号１２０ａを、無線リンクの構成情報を含むいくつかのメッセージのうちの１つのメッセージの内部に、１つの情報要素として埋め込むことができる。これらのメッセージは、無線リンクの設定要求メッセージ２１０、無線リンクの追加要求メッセージ２２０、あるいは無線リンクの再構成準備メッセージ２３０である。
【００３５】
その代わりに、図５、図６、図７に示すように、フィードバックＣＣＴｒＣＨをＤＴＸとすることができる場合は、ＤＬのＴＰＣ  ＤＴＸステップサイズ通知信号１２０ｂが、無線リンクの設定要求メッセージ３１０、無線リンクの追加要求メッセージ３２０、あるいは無線リンクの再構成準備メッセージ３３０内の１つの情報要素として送られる。この代替形態は、ＤＴＸがＵＬで使用されないことが予め分かっている場合、あるいはＤＴＸと通常（非ＤＴＸ）の両方のＵＬ送信について同じＤＬのＴＰＣステップサイズを使用することが望まれる場合も、任意の選択肢である。したがって、基地局１１０は慣例に従い、ＤＬのＴＰＣ  ＤＴＸステップサイズ通知信号１２０ｂがＲＮＣ１０５から供給されなければ、ＤＴＸと通常の両方のＵＬ送信について同じＤＬのＴＰＣステップサイズを使用するはずである。
【００３６】
基地局１１０は、送信中、１０ミリ秒のフレーム毎（３．８４Ｍｃｐｓオプション用）、あるいは５ミリ秒のサブフレーム（１．２８Ｍｃｐｓオプション用）毎に、無線リンクのあらゆるＤＬ  ＣＣＴｒＣＨについて、更新された送信電力を決定する必要がある。各ＤＬ  ＣＣＴｒＣＨ毎に、対応する（ＵＬの）フィードバックＣＣＴｒＣＨに対してＤＴＸ状態が定義される。このＤＴＸ状態は、所与の時間に、フィードバックＣＣＴｒＣＨがＤＴＸの場合は、「不連続」値をとり、（ＵＬの）フィードバックＣＣＴｒＣＨがＤＴＸでない場合は、「通常」値をとることができる。ＤＴＸ状態の初期値は、「通常」である。ＤＴＸ状態が「通常」であり、所与のフレーム中にフィードバックＣＣＴｒＣＨが受信されない場合、ＤＴＸ状態は、「不連続」に切り替えられる。ＤＴＸ状態が「不連続」であり、連続する２つのフレームでフィードバックＣＣＴｒＣＨが受信された場合は、ＤＴＸ状態は、「通常」に切り替えられる。
【００３７】
ＤＴＸ状態が与えられると、電力制御対象ＣＣＴｒＣＨの送信電力は、次のように更新される。その（以前のフレームにおける）ＣＣＴｒＣＨが最後に送信された後、電力制御対象ＣＣＴｒＣＨ用のＴＰＣコマンドが受信され、ＤＴＸ状態が「通常」である場合、ＴＰＣコマンドがｕｐならば、送信電力が、（ＤＬのＴＰＣ通常ステップサイズ信号１２０ａ）ｄＢだけ増やされることによって更新され、ＴＰＣコマンドがｄｏｗｎならば、送信電力が、（ＤＬのＴＰＣ通常ステップサイズ信号１２０ａ）ｄＢだけ減らされることによって更新される。その（以前のフレームにおける）ＣＣＴｒＣＨが最後に送信された後、電力制御対象ＣＣＴｒＣＨ用のＴＰＣコマンドが受信され、ＤＴＸ状態が「不連続」である場合、ＴＰＣコマンドがｕｐならば、送信電力が、（ＤＬのＴＰＣ  ＤＴＸステップサイズ信号１２０ｂ）ｄＢだけ増やされることによって更新され、ＴＰＣコマンドがｄｏｗｎならば、送信電力が、（ＤＬのＴＰＣ  ＤＴＸステップサイズ信号１２０ｂ）ｄＢだけ減らされることによって更新される。そのＣＣＴｒＣＨの最終フレームにおける送信以降、電力制御対象ＣＣＴｒＣＨ用のＴＰＣコマンドが受信されない場合は、そのＣＣＴｒＣＨの送信は、変更されないままである。
【００３８】
ＵＴＲＡ−ＴＤＤ（１．２８Ｍｃｐｓオプションのみ）向けのＵＬ電力制御は、ＲＲＣ信号を使用して、基地局１１０を介してＵＬのステップサイズ通知信号１３０をＷＴＲＵ１１５に送る。このＲＲＣ信号は、ＲＮＣ１０５とＷＴＲＵ１１５の間に設置された専用制御チャネル（ＤＣＣＨ）を介して送られる。物理的には、ＵＬのステップサイズ情報は、基地局１１０に送信され、次いでその基地局１１０は、その情報を復号せずに、無線によってＷＴＲＵ１１５に転送する。すなわち、このＵＬのステップサイズ情報は、基地局１１０にとって透過なものである。
【００３９】
図８に示すように、ＤＬがＤＴＸの場合に使用されるステップサイズの通知は、新たな情報要素であるＵＬのＴＰＣ  ＤＴＸステップサイズ信号１３０ａを一群の「アップリンクＤＰＣＨ電力制御情報」信号内に追加することによって実装できる。このＵＬのＴＰＣ  ＤＴＸステップサイズ信号１３０ａは、ＤＴＸがＤＬで使用されないことが予め分かっている場合、あるいはＤＴＸと通常（非ＤＴＸ）の両方のＤＬ送信について同じＵＬのＴＰＣステップサイズを使用することが望まれる場合は、任意選択としてもよい。したがって、ＷＴＲＵ１１５は慣例に従い、ＵＬのＴＰＣ  ＤＴＸステップサイズ信号１３０ａがＲＮＣから供給されなければ、ＤＴＸと通常の両方のＤＬ送信について同じＵＬのＴＰＣステップサイズを使用するはずである。
【００４０】
ＷＴＲＵ１１５は、送信中、５ミリ秒のサブフレーム毎（１．２８Ｍｃｐｓオプション用）に無線リンクのあらゆるＵＬ  ＣＣＴｒＣＨについて、更新された送信電力を決定する必要がある。各ＵＬ  ＣＣＴｒＣＨ毎に、対応する（ＤＬの）フィードバックＣＣＴｒＣＨに対して「ＤＴＸ状態」が定義される。この状態は、所与の時間に、（ＤＬの）フィードバックＣＣＴｒＣＨがＤＴＸであるかどうかに応じて、「不連続」値あるいは「通常」値をとることができる。ＤＴＸ状態の初期値は「通常」である。ＤＴＸ状態が「通常」であり、所与のフレーム中にフィードバックＣＣＴｒＣＨが受信されない場合、ＤＴＸ状態は「不連続」に切り替えられる。ＤＴＸ状態が「不連続」であり、連続する２つのフレームでフィードバックＣＣＴｒＣＨが受信された場合は、ＤＴＸ状態は「通常」に切り替えられる。
【００４１】
ＤＴＸ状態が与えられると、電力制御対象ＣＣＴｒＣＨの送信電力は、次のように更新される。その（以前のフレームにおける）ＣＣＴｒＣＨが最後に送信された後、電力制御対象ＣＣＴｒＣＨ用のＴＰＣコマンドが受信され、ＤＴＸ状態が「通常」である場合、ＴＰＣコマンドがｕｐならば、送信電力が、（ＴＰＣステップサイズ１２０ａ）ｄＢだけ増やされることによって更新され、ＴＰＣコマンドがｄｏｗｎならば、送信電力が、（ＴＰＣステップサイズ１２０ａ）ｄＢだけ減らされることによって更新される。その（以前のフレームにおける）ＣＣＴｒＣＨが最後に送信された後、電力制御対象ＣＣＴｒＣＨ用のＴＰＣコマンドが受信され、ＤＴＸ状態が「不連続」である場合、ＴＰＣコマンドがｕｐならば、送信電力が、（ＴＰＣ  ＤＴＸステップサイズ１２０ｂ）ｄＢだけ増やされることによって更新され、ＴＰＣコマンドがｄｏｗｎならば、送信電力が、（ＴＰＣ  ＤＴＸステップサイズ１２０ｂ）ｄＢだけ減らされることによって更新される。そのＣＣＴｒＣＨの最終フレームにおける送信以降、電力制御対象ＣＣＴｒＣＨ用のＴＰＣコマンドが受信されない場合は、そのＣＣＴｒＣＨの送信は、変更されないままである。
【００４２】
代替の一実施形態では可変のＴＰＣステップサイズを使用することができる。そのため、（ＷＴＲＵ１１５がＤＬであり、基地局１１０がＵＬである場合）電力制御対象ＣＣＴｒＣＨの受信機が、フィードバックＣＣＴｒＣＨにおけるＤＴＸの故に送信電力の更新頻度が減少するときにしばしば起こるように、信号対干渉比（ＳＩＲ）が目標値（target）と比較して低すぎる場合に、より高いステップサイズを動的に指令することが可能になる。
【００４３】
図９は、ＤＬ  ＣＣＴｒＣＨを介して送信される信号の電力を制御する方法の諸ステップを含む、本発明による処理５００のフローチャートである。ステップ５０５で、ＲＮＣ１０５が、ＤＬのＴＰＣステップサイズ通知信号１２０を基地局１１０に送信する。ステップ５１０で、ＤＴＸ状態値が、「通常」値に初期化される。ステップ５１５で、ＤＬ  ＣＣＴｒＣＨについて所与のタイムフレーム中にＴＰＣコマンドを含むＵＬ  ＣＣＴｒＣＨが受信されたかどうかが判定される。
【００４４】
所与のタイムフレーム中にＵＬ  ＣＣＴｒＣＨが受信されない場合は、ＤＴＸ状態値は、そのＵＬ  ＣＣＴｒＣＨにＤＴＸが利用されていることを示す「不連続」値に切り替えられる（ステップ５２０）。ステップ５２５で、ＤＬ  ＣＣＴｒＣＨの電力が、ＤＬのＴＰＣ  ＤＴＸステップサイズだけ増大または減少されることによって、更新される。
【００４５】
所与のタイムフレーム中にＵＬ  ＣＣＴｒＣＨが受信された場合は、ＵＬ  ＣＣＴｒＣＨが連続する２つのフレームで受信されたかどうかが判定される（ステップ５３０）。ステップ５３０で、ＵＬ  ＣＣＴｒＣＨが連続する２つのフレームで受信されたと判定され、ステップ５３５で、ＤＴＸ状態値が「不連続」値であると判定された場合は、ＤＴＸ状態値は、そのＵＬ  ＣＣＴｒＣＨにＤＴＸが利用されていないことを示す「通常」値に切り替えられる（ステップ５４０）。ステップ５４５で、ＤＬ  ＣＣＴｒＣＨの電力が、ＤＬのＴＰＣ通常ステップサイズだけ増大または減少されることによって更新される。
【００４６】
図１０は、ＵＬ  ＣＣＴｒＣＨを介して送信される信号の電力を制御する方法の諸ステップを含む、本発明による処理６００のフローチャートである。ステップ６０５で、ＲＮＣ１０５が、ＵＬのＴＰＣステップサイズ通知信号１３０をＷＴＲＵ１１５に送信する。ステップ６１０で、ＤＴＸ状態値が、「通常」値に初期化される。ステップ６１５で、ＵＬ  ＣＣＴｒＣＨについて所与のタイムフレーム中にＴＰＣコマンドを含むＤＬ  ＣＣＴｒＣＨが受信されたかどうかが判定される。
【００４７】
所与のタイムフレーム中にＤＬ  ＣＣＴｒＣＨが受信されない場合は、ＤＴＸ状態値は、そのＤＬ  ＣＣＴｒＣＨにＤＴＸが利用されていることを示す「不連続」値に切り替えられる（ステップ６２０）。ステップ６２５で、ＵＬ  ＣＣＴｒＣＨの電力が、ＵＬのＴＰＣ  ＤＴＸステップサイズだけ増大または減少されることによって更新される。
【００４８】
所与のタイムフレーム中にＤＬ  ＣＣＴｒＣＨが受信された場合は、ＤＬ  ＣＣＴｒＣＨが連続する２つのフレームで受信されたかどうかが判定される（ステップ６３０）。ステップ６３０で、ＤＬ  ＣＣＴｒＣＨが連続する２つのフレームで受信されたと判定され、ステップ６３５で、ＤＴＸ状態値が「不連続」値であると判定された場合は、ＤＴＸ状態値は、そのＤＬ  ＣＣＴｒＣＨにＤＴＸが利用されていないことを示す「通常」値に切り替えられる（ステップ６４０）。ステップ６４５で、ＵＬ  ＣＣＴｒＣＨの電力が、ＵＬのＴＰＣ通常ステップサイズだけ増大または減少されることによって更新される。
【００４９】
以上本発明を、特に好ましい諸実施形態に関して図示し説明してきたが、本明細書において上述した本発明の範囲を逸脱することなく、本発明の形態および詳細に様々な変更を加えることもできることが、当業者には理解されるであろう。
【図面の簡単な説明】
【００５０】
【図１】本発明に従って構成された無線通信のブロック図である。
【図２】ＤＴＸ状態が通常値を有する場合の、ＤＬのＴＰＣ通常ステップサイズ通知信号が埋め込まれた、本発明による無線リンクメッセージを示す図である。
【図３】ＤＴＸ状態が通常値を有する場合の、ＤＬのＴＰＣ通常ステップサイズ通知信号が組み込まれた、本発明による無線リンクメッセージを示す図である。
【図４】ＤＴＸ状態が通常値を有する場合の、ＤＬのＴＰＣ通常ステップサイズ通知信号が組み込まれた、本発明による無線リンクメッセージを示す図である。
【図５】ＤＴＸ状態が不連続値を有する場合の、ＤＬのＴＰＣ  ＤＴＸステップサイズ通知信号が埋め込まれた、本発明による無線リンクメッセージを示す図である。
【図６】ＤＴＸ状態が不連続値を有する場合の、ＤＬのＴＰＣ  ＤＴＸステップサイズ通知信号が埋め込まれた、本発明による無線リンクメッセージを示す図である。
【図７】ＤＴＸ状態が不連続値を有する場合の、ＤＬのＴＰＣ  ＤＴＸステップサイズ通知信号が埋め込まれた、本発明による無線リンクメッセージを示す図である。
【図８】ＤＴＸ状態が不連続値を有する場合の、ＵＬのＴＰＣ  ＤＴＸステップサイズ通知信号が埋め込まれた、本発明による一群のアップリンクＤＰＣＨ電力制御情報信号を示す図である。
【図９】ＤＬ  ＣＣＴｒＣＨを介して送信される信号の電力を制御する方法の諸ステップを含む、本発明による処理のフローチャートである。
【図１０】ＵＬ  ＣＣＴｒＣＨを介して送信される信号の電力を制御する方法の諸ステップを含む、本発明による処理のフローチャートである。
【符号の説明】
【００５１】
１００  無線通信システム
１０５  ＲＮＣ（無線ネットワーク制御装置）
１１０  基地局
１１２  ＤＬ  ＣＣＴｒＣＨ（ダウンリンクの符号化複合トランスポートチャネル）
１１４  ＵＬ  ＣＣＴｒＣＨ（アップリンクの符号化複合トランスポートチャネル）
１１５  ＷＴＲＵ（無線送受信ユニット）
１２０  ＤＬのＴＰＣステップサイズ通知信号
１３０  ＵＬのＴＰＣステップサイズ通知信号
【図１】
0004740209.tif 000002
【図２】
0004740209.tif 000003
【図３】
0004740209.tif 000004
【図４】
0004740209.tif 000005
【図５】
0004740209.tif 000006
【図６】
0004740209.tif 000007
【図７】
0004740209.tif 000008
【図８】
0004740209.tif 000009
【図９】
0004740209.tif 000010
【図１０】
0004740209.tif 000011